(57)【要約】【課題】家電等のエラー等の情報を、サービスセンターで容易に監視できるようにする。【解決手段】従来の家電品等の機器に、自己診断情報を通信できる機能を設ける。ワイヤレス親子電話機の子機２に、それらの情報を通信できる機能を設け、ワイヤレス親子電話機の親−子間通信機能により親機１に情報を伝達する。その情報を親機１にて、音声信号に変換し、音声としてサービスセンター１０に通報する。【効果】ワイヤレス親子電話に追加機能を与えた簡易な構成で、電話機による遠隔監視システムを構築することができるため、機器のコストを下げることができる。また、特別なサーバーを設置することなく、遠隔監視システムを構築することができるため、新たな設備投資が不要である。また、屋内配線を省略できるため、設置コストを抑えることができる。【選択図】　図１
2004032011.tif 000002
【特許請求の範囲】
【請求項１】
制御手段、記憶手段、操作手順及び、表示手段を備え、複数の家電品を制御する、電話機による運転監視システムにおいて、前記記憶手段は、各家電品の故障内容を記憶するメニューを有し、一定時間間隔で、運転状態を監視する機能と、運転状態がエラーの場合に通知する表示機能とを有することを特徴とする、電話機による運転監視システム。
【請求項２】
請求項１において、前記電話機は、親機及び家電品を接続可能な子機からなり、子機は、当該家電品の運転状態を、親機に送信する機能を有することを特徴とする、電話機による遠隔監視システム。
【請求項３】
請求項１において、親機は子機からの通知内容を受信する機能と、エラーの場合、その結果を画面表示により、通知することを特徴とする、電話機による運転監視システム。
【請求項４】
制御手段、記憶手段、操作手段、表示手段及び、外部通信手段を備え、複数の家電品を監視する、電話機による運転監視システムにおいて、前記外部通信手段は、電話機能である音声信号とし、故障機器名と、故障部位を表すエラーコードを音声信号に変換して通知すること及び、親機の表示機能にて故障内容を通知することを特徴とする、電話機による運転監視システム。
【発明の詳細な説明】
【０００１】
【発明の属する技術分野】
本発明は、電話機による家電品運転監視システムに係り、特に自己診断機能を有した複数の家電品を監視する、電話機による運転監視システムに好適なものである。この家電品としては、エアコン、冷蔵庫、電子レンジ、洗濯機、テレビ、ステレオ、パソコン、風呂、換気装置などの電気を用いて機能する家庭用の機器が含まれる。
【０００２】
【従来の技術】
従来の技術としては、特開２００１−３３８２１３号公報（従来技術１）に示されているように、専用のネットワーク通信端末を用い、宅内は今後普及するものと考えられているＨｏｍｅＲＦや、Ｂｌｕｅｔｏｏｔｈなどでネットワーク化し、宅外との接続はインターネットを介して、家電品などの情報を宅外の端末に配信するものがある。
【０００３】
ＨｏｍｅＲＦは、パソコンや家電製品、携帯電話などを結ぶ家庭内無線通信の規格で、無線免許なしで使うことができる２．４ＧＨｚの周波数帯を利用する。このため、この帯域の電波を発生する電子レンジに影響されないよう配慮されている。１．２ＭＢ／秒以上の高速なデータ伝送速度を実現し、伝送速度３２Ｋｂｐｓの回線が同時に６通話まで可能となる。通信可能な距離は５０〜１００ｍである。
【０００４】
Ｂｌｕｅｔｏｏｔｈは、携帯情報機器向けの無線通信技術で、ノートパソコンやＰＤＡ、携帯電話などをケーブルを使わずに接続し、音声やデータをやりとりすることができる。また、免許なしで使うことのできる２．４５ＧＨｚ帯の電波を利用し、１Ｍｂｐｓの速度で通信を行うことができる。機器間の距離が１０ｍ以内であれば障害物があっても利用することができる。また、小型のトランシーバを利用するため、消費電力が小さく、製造コストも低く抑えられる。Ｂｌｕｅｔｏｏｔｈはオフィスでの利用を、ＨｏｍｅＲＦは家庭での利用をそれぞれ想定している。
【０００５】
【発明が解決しようとする課題】
しかしながら、従来技術１では、常時通電される専用のネットワーク端末、常時接続の可能なインターネット回線及び、機器間の屋内配線が必要となり、システムが高価になるため、システム普及への障害となる。
【０００６】
また、専用のサーバーを必要とするため、システム稼動に多くの費用や時間を要す。
【０００７】
また、専用のネットワーク端末を用いる方法の他に、家庭にある既存のパソコンを利用する方法があるが、常時通電という点においては、実用的ではない。
【０００８】
本発明の第１の目的は、常時通電で使用されるワイヤレス親子電話機に、追加機能を加えた簡易なシステムによる、低コストで使い勝手の良い端末を提供し、家電品運転監視システムの普及を促進することにある。
【０００９】
本発明の第２の目的は、ワイヤレス親子電話機の親−子間の無線通話機能を用いて、子機と、各機器を接続することにより、専用の屋内配線を不要とすることにある。
【００１０】
本発明の第３の目的は、ワイヤレス親子電話機の通話機能を用いて、音声にて監視情報を自動通報することにより、専用のサーバーを設置することなく、容易に家電運転監視システムを構築することができることにある。
【００１１】
本発明の第４の目的は、難しい設定を不要とし、情報の発信先の電話番号を指定するだけで、容易に情報を送ることができることにある。
【００１２】
【課題を解決するための手段】
前記第１の目的を達成するために、本発明では、一般のワイヤレス親子電話の子機と家電品双方に、シリアル通信の規格の一つであるＲＳ−２３２Ｃ等を用いた有線通信機能を設ける。親機はその情報を子機から受け取り、音声データに変換して自動通報する機能、またはその情報を表示する機能を有する構成とする。
【００１３】
前記第２の目的を達成するために、本発明では、通常のワイヤレス親子電話の親−子間通信機能を使用するため、特別な機能を不要とする。
【００１４】
前記第３の目的を達するために、本発明では、家電品等の製品名およびエラー情報等のパラメーターを音声情報に変換し、自動通報および、情報表示を行う機能を有す構成とする。
【００１５】
第４の目的を達成するために、家電品等の機器の情報を、音声化し、通常の電話と同様の方法で相手に情報を伝えることにより、通信先の電話番号以外の情報を不要とする。
【００１６】
【発明の実施の形態】
以下、本発明の電話機による遠隔監視システムの一実施例を、図を参照しながら説明する。
【００１７】
まず、本実施例の電話機による遠隔監視システムの全体構成を図１、図２を参照しながら説明する。図１は、本発明の一実施例の電話機による遠隔監視システムの概略構成図、図２は家電品との接続例である。
【００１８】
本実施例の電話機による遠隔監視システムは、家庭内の家電等の機器および、機器との通信機能、音声変換機能等を付加したワイヤレス親子電話、電話回線を通じて接続されたサービスセンターとで構成されている。
【００１９】
親機１は、一般的な電話機能を有すると共に、子機から送られてくる家電品等の故障等の情報を表示し、かつその情報を音声情報に変換し、サービスセンターに自動通報する機能を持つ家庭用電話機である。そして、親機１は、表示部１ａ、通信アンテナ１ｂ及び、操作部１ｃを備えている。
【００２０】
子機２は、ワイヤレス親子電話の親機１に対する子機であり、親機１と同様の通話機能を有している。そして、子機２は、通信アンテナ２ａ及び、操作部２ｂを備えており、無線で親機１を介して通話が行われる。また、子機２は、家電品との通信のためのコネクタ２ｃを有し、接続ケーブル３を介して家電品と接続される。
【００２１】
ここで言う家電品とは、機器ＩＤや、エラー情報等の送信機能を有した、ルームエアコン４、冷蔵庫５、風呂６等で、自己診断機能を有し、本実施例に示すワイヤレス親子電話機との通信機能を有す機器を示す。
【００２２】
また図示例では、接続ケーブル３を、直接子機２に接続しているが、通信用の接点を有した充電器７を介して接続しても良い。このようにすることで、通常の通話時にはワイヤレスで使用することができる。
【００２３】
図示例では、子機を使用しているが、図２の例のように、子機と同様の機能を有する機器を使用することもできる。
【００２４】
子機２を介して送られた家電品のエラー等の情報は、電話局８を介して電話回線９で、サービスセンター１０に送ることにより、電話機による遠隔監視システムを構成する。
【００２５】
また、エラー等の情報は、親機１の表示部１ａに表示され、送られた情報を確認することができる。更に、設定によっては、表示部１ａの指示に合わせ、手動で情報を送ることもできる。
【００２６】
次に、親機１、子機２から成る、ワイヤレス親子電話の詳細な構成について、図３、図４を参照しながら説明する。
【００２７】
図３は本実施例の遠隔監視システムのブロック構成図、図４はワイヤレス親子電話の表示例を示す。
【００２８】
遠隔監視システムの家電品２０には、制御回路２０ａの自己診断機能２０ｂから受けたエラー情報を、外部に伝達するための有線通信回路２０ｃを設け、ＲＳ−２３２Ｃ等の有線通信２２で伝達をおこなう。ここでのエラー情報は、従来の機器に有す自己診断機能を利用すれば、開発コストを下げることができる。
【００２９】
ワイヤレス親子電話機の子機２１は、一般の電話機と同様にスピーカー２１ａ、マイクロフォン２１ｂ、から成る通話機能を有し、無線通信回路２１ｃおよびアンテナ２１ｄによって、親機を介して通話することができる。
【００３０】
また、遠隔監視システムの家電品２０との有線通信回路２１ｅおよびそれらを制御する制御回路２１ｆを持ち、接続ケーブル２２を介して、家電品２０との通信をおこない、エラー情報２７ａをデジタル信号で受信する。
【００３１】
親機２３が、通話中等で受信不可の場合は、家電品２０から送られた情報は通報されず、通話終了後に通報される。この際、情報が一時的な場合もあるため、情報は子機の記憶回路２１ｇに一時的に保持することもできる。
【００３２】
ワイヤレス親子電話機の親機２３は、子機２１との無線通信をおこなうための、無線通信回路２３ａおよび、アンテナ２３ｂを有し、電話回路２３ｃによって、電話信号に変換し、電話回線２４および、電話会社２５介して一般通話が可能となる。
【００３３】
子機２１からの無線信号が、通話信号でなく、監視情報２７ｂであると制御回路２３ｄにより判断された場合は、音声変換回路２３ｅにより音声信号に変換される。変換された音声信号は、電話回路２３ｃにより電話信号２７ｃに変換され、電話回線２４および、電話会社２５を介して、サービスセンター２６に通報される。通報が終了すると、自動的に電話回線が切断される。また、通報と同時に、表示回路２３ｆに情報を表示することによって、通報内容を確認することができる。更に、図４の表示例のように、通報を手動で通報する設定を有すこともできる。
【００３４】
本実施例の遠隔監視システムでは、サービスセンター２６に通報される内容は、音声信号であるので、サービスセンター２６には、特別にサーバー等の機器を設置する必要がない。但し、サービスセンター２６が通報内容を確実に受領したことを、ユーザーに通知する必要がある場合には、特定のＰＢ信号を親機に返す仕組み、もしくは運用方法を確立し、親機がそのＰＢ信号を認識して、表示回路２３ｆで、受領したことをユーザーに対し通知すれば良い。
【００３５】
尚、発信元の所在を示すデータは、発信番号通知機能を、センター側が利用することで、通知不要にできるため、説明から省略した。
【００３６】
【発明の効果】
以上の説明から明らかなように、本発明によれば、ワイヤレス親子電話に追加機能を与えた簡易な構成で、電話機による遠隔監視システムを構築することができるため、機器のコストを下げることができる。
【００３７】
また、本発明によれば、特別なサーバーを設置することなく、遠隔監視システムを構築することができるため、新たな設備投資が不要である。
【００３８】
また、本発明によれば、屋内配線を省略できるため、設置コストを抑えることができる。
【図面の簡単な説明】
【図１】本発明の一実施例の電話機による運転監視システムを示す概略構成図である。
【図２】図１のシステムでの、子機と家電品との接続例である。
【図３】図１のブロック構成図である。
【図４】図１のシステムにおける、ワイヤレス親子電話の親機の正面図および表示例である。
【符号の説明】
１…親機、１ａ…表示部、１ｂ…アンテナ、２…子機、２ａ…アンテナ、２ｂ…操作部、２ｃ…コネクタ、３…接続ケーブル、４…ルームエアコン、５…冷蔵庫、６…風呂、７…充電器、８…電話会社、９…電話回線、１０…サービスセンター、２０…家電品、２０ａ…制御回路、２０ｂ…自己診断機能、２０ｃ…有線通信回路、２１…子機、２１ａ…スピーカー、２１ｂ…マイクロフォン、２１ｃ…無線通信回路、２１ｄ…アンテナ、２１ｅ…有線通信回路、２１ｆ…制御回路、２１ｇ…記憶回路、２２…接続ケーブル、２３…親機、２３ａ…無線通信回路、２３ｂ…アンテナ、２３ｃ…電話回路、２３ｄ…制御回路、２３ｅ…音声変換回路、２３ｆ…表示回路、２４…電話回線、２５…電話会社、２６…サービスセンター。
【図１】
2004032011.tif 000003
【図２】
2004032011.tif 000004
【図３】
2004032011.tif 000005
【図４】
2004032011.tif 000006